(57)【要約】      （修正有）【課題】３次元に変化する足場にスタンスしてスイング練習する事により、実際のゴルフコースにおける不安定な足場においても、安定したスイングと球筋が体感できる。【解決手段】練習用本体をユニバーサルジョイントに固定して，油圧．空気圧等々により、加圧コンプレッサーをプログラムされたプログラムコントロラーを接続して足場本体を３次元に変化させるゴルフ練習機材。【選択図】図１
0003126699.tif 000002
【実用新案登録請求の範囲】
【請求項１】
実際のゴルフスイングおける足場は決して平坦でなく．つま先上がり，下がり．左足上がり，下がり等々常に水平で無い事に着目して，スリング練習の足場を（機械式，油圧等々により）ユニバーサルジョイントを使用して３次元に変化させる事により，実際のゴルフ場でのスイングに対応した足場の変化できる練習器具を実用新案登録請求の範囲とする
【考案の詳細な説明】
【技術分野】
【０００１】本考案は，ゴルフスイング練習に当たり自然の地形のゴルフ場と同様の３次元に変化出来る足場を設定できるゴルフ練習機材
【背景技術】
【０００２】ゴルフ練習場は常に足場が平坦であるため”ゴルフ練習場のみの練習ではうまく打てるのに，何で実際のゴルフコースでは打球が右に左に曲がる理論が既存の練習器具では体感出来なかった
【考案の開示】
【考案が解決しようとす課題】
【０００３】自然の地形のゴルフ場と同様の（油圧．機会式，空気圧等々）により自在に足場を変化させ３次元に変化出来る足場を設定本コースの実際のスイングの基本を習得する事により，多々ある．，”練習場ではナイススイング”でも”実際のコースでは大失敗に”ならない練習ができる事を課題とする
【考案が解決するための手段】
【０００４】本考案によるユニバーサルジョイントを使用しての３次元に変化する足場に立ってスイングを練習する事によりより実際のゴルフコースにおいても斜面に対応した効率の良い練習が出来る．
【図面の簡単な説明】
【０００５】
【図１】練習用本体をユニバーサルジョイントに固定して，油圧．空気圧等々により加圧コンプレッサーをプログラムされたプログラムコントロラーを接続して足場本体を３次元に変化させる本ゴルフ練習機材の図面です
【符号の説明】
【０００６】１  足場本体
２  ユニバーサルジョイント」
３  油圧（空気圧）加圧パイプ部
４  プログラムコントローラー
５  コンプレサー
【図１】
0003126699.tif 000003
【手続補正書】
【提出日】平成18年4月17日(2006.4.17)
【手続補正１】
【補正対象書類名】実用新案登録請求の範囲
【補正対象項目名】全文
【補正方法】変更
【補正の内容】
【実用新案登録請求の範囲】
【請求項１】
簡易実際のゴルフコ−スにおけるゴルフスイングを想定した左右前後に傾斜した足場を再現出来る足場傾斜角度可変ゴルフ練習器具
【手続補正２】
【補正対象書類名】明細書
【補正対象項目名】全文
【補正方法】変更
【補正の内容】
【考案の詳細な説明】
【技術分野】
【０００１】本考案は，ゴルフスイング練習に当たり自然の地形のゴルフ場と同様の３次元に変化出来る足場を設定できるゴルフ練習機材
【背景技術】
【０００２】ゴルフ練習場は常に足場が平坦であるためゴルフ練習場ではうまく打てるのに，実際  ゴルフコースの左右前後に傾斜した足場では打球が右に左に曲がる理論が既存の練習器具では体感出来なかった
【考案の開示】
【考案が解決しようとす課題】
【０００３】左右前後に傾斜した足場を油圧．機会式，空気圧等々により造る事により自然の地形のゴルフ場と同様のスイングを体感したゴルフスイング基本を習得する事により，効率の良いゴルフスイング練習ができる事を課題とする
【考案が解決するための手段】
【０００４】本考案ではユニバ−サルジョイントを中央に配置し四隅に加圧弁を有するパイプを使用しての自在に左右前後に変化する３次元に変化する足場を造る
【手続補正書】
【提出日】平成18年6月19日(2006.6.19)
【手続補正１】
【補正対象書類名】実用新案登録請求の範囲
【補正対象項目名】全文
【補正方法】変更
【補正の内容】
【実用新案登録請求の範囲】
【請求項１】
両足が乗る足場（滑り止め加工した）の中心に主軸を持ち、傾斜角度を調整可能にする為に四隅に上下に伸縮する副軸４本を配したゴルフスイング練習器具
【手続補正２】
【補正対象書類名】手続補正書
【補正対象項目名】手続補正書２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】本考案は，ゴルフスイング練習に当たり自然の地形のゴルフ場と同様の３次元に変化出来る足場を設定できるゴルフ練習機材
【背景技術】
【０００２】ゴルフ練習場ではは常に足場が平坦であるため．実際のゴルフコースにて直面する水平でないゴルフスイング練習の足場が求められる
【考案の開示】
【考案が解決しようとす課題】
【０００３】ゴルフ練習場は常に足場が平坦であるためゴルフ練習場のみの練習ではうまく打てるのに，ゴルフコースでは足場が水平でない為打球が右、左に曲がる結果となる。既存の水平に立つ練習器具では体感出来なかった傾斜した足場での練習器具により、容易に実際のゴルフコース同様のスイングの練習が可能となる
【考案が解決するための手段】
【０００４】本考案による主柱（ユニバ−サルジョイント）と四隅の副柱（支柱）を上下させての３次元に変化する足場をつくりスイングを練習する事により傾斜した実際のゴルフコース斜面に対処できる効果が得られる
【図面の簡単な説明】
【０００５】
【図１】滑り止めを配した足場の中心を主軸に固定して四隅の副柱（支柱）を，油圧．空気圧等々により上下させた３次元に変化させる足場をつくるゴルフ練習機材の図面です
【符号の説明】
【０００６】１  足場本体（四隅の副柱を含む）
２  ユニバーサルジョイント（主軸）
３  油圧（空気圧）加圧パイプ部
４  プログラムコントロ−ラ−
５  コンプレサ−
６  仮想足位置
【手続補正書】
【提出日】平成18年8月9日(2006.8.9)
【手続補正１】
【補正対象書類名】実用新案登録請求の範囲
【補正対象項目名】全文
【補正方法】変更
【補正の内容】
【実用新案登録請求の範囲】
【請求項１】
両足が乗る滑り止め加工した足場の中心に主軸を持ち、傾斜角度を調整可能にする為に四隅に上下に伸縮する副軸４本を配したゴルフスイング練習器具
【手続補正２】
【補正対象書類名】明細書
【補正対象項目名】全文
【補正方法】変更
【補正の内容】
【考案の詳細な説明】
【技術分野】
【０００１】本考案は，ゴルフスイング練習に当たり自然の地形のゴルフ場と同様の３次元に変化出来る足場を設定できるゴルフ練習機材
【背景技術】
【０００２】ゴルフ練習場ではは常に足場が平坦であるため．実際のゴルフコースにて直面する水平でないゴルフスイング練習の足場が求められる
【考案の開示】
【考案が解決しようとす課題】
【０００３】ゴルフ練習場は常に足場が平坦であるためゴルフ練習場のみの練習ではうまく打てるのに，ゴルフコースでは足場が水平でない為打球が右、左に曲がる結果となる。既存の水平に立つ練習器具では体感出来なかった傾斜した足場での練習器具により、容易に実際のゴルフコース同様のスイングの練習が可能となる
【考案が解決するための手段】
【０００４】本考案による主柱（ユニバ−サルジョイント）と四隅の副柱（支柱）を上下させての３次元に変化する足場をつくりスイングを練習する事により傾斜した実際のゴルフコース斜面に対処できる効果が得られる
【図面の簡単な説明】
【０００５】
【図１】滑り止めを配した足場の中心を主軸に固定して四隅の副柱（支柱）を，油圧．空気圧等々により上下させた３次元に変化させる足場をつくるゴルフ練習機材の図面です
【符号の説明】
【０００６】１    足場本体（四隅の副柱を含む）
２    ユニバーサルジョイント（主軸）
３    油圧（空気圧）加圧パイプ部
４    プログラムコントロ−ラ−
５    コンプレサ−
６    仮想足位置